(57)【要約】      （修正有）【課題】脚部間の距離が異なる場合であっても、その都度特別な部材を用いることなく、同一の部材を用いてベンチを形成することができるベンチを提供する。【解決手段】所定の方向に間隔をおいて立設された２個の脚部２間に座部が架設され、前記座部の下面には前記所定の方向に連続して蟻溝状の取付溝１３が設けられ、前記脚部２に前記座部を固定する固定ボルトＢ１のボルト頭が前記取付溝１３にスライド自在に挿入されていることにより、既設のベンチを座部のみ取り替えて補修する際などの場合、脚部２間の距離が異なることがあっても、前記固定ボルトＢ１を前記座部の取付溝１３内をスライドさせ、所望の位置に配置し、そこで前記脚部２と前記座部とを固定することができ、その都度特別な部材を用いることなく、同一の部材を用いてベンチを形成することができる。【選択図】図２
2016067450.tif 000002
【特許請求の範囲】
【請求項１】
所定の方向に間隔をおいて立設された２個の脚部間に座部が架設され、前記座部の下面には前記所定の方向に連続して蟻溝状の取付溝が設けられ、前記脚部に前記座部を固定する固定ボルトのボルト頭が前記取付溝にスライド自在に挿入されていることを特徴とするベンチ。
【発明の詳細な説明】
【技術分野】
【０００１】
本発明は、公園、遊園地、駅やバス等の待合いスペース、駅前や商業施設の広場に設置されるベンチに関するものである。
【背景技術】
【０００２】
一般に、公園、遊園地、駅やバス等の待合いスペース、駅前や商業施設の広場には、通行人や施設利用者が休憩等に利用するベンチが設置されている。そして、これらベンチは、複数の脚部に平板状の座部が取付けられたものであり、座部の両端を脚部で支持するもの、脚部の上端に座部を載置した形態もの等が用いられており、又座部についても、平板状のものや、柱状体或いは管状体を複数並設して平板状に形成したもの等が用いられている。
【０００３】
例えば、脚本体の上部に複数のパイプ状の継手が並設された合成樹脂の一体成型品よりなる構造物の脚体において、継手にパイプ材を挿入して固定するようにし、釘打ちやビス止めの作業を不要とする脚体が提案されている。（例えば、特許文献１参照。）。
【０００４】
又、それぞれの対向部分に開口部を形成し、該開口部と外部との間にガイド用透孔を設けた一体のフレームと、該一対のフレームを連結する固定杆と、内部に空き缶を連続して収納し、両端部を前記開口部に挿入した複数の座管と、表面が前記座管に当接し、裏面に取付けた脚杆が前記ガイド用透孔内を通るように配置した受け板と、前記開口部内の前記脚杆に捲装したコイルスプリングとを含み、使用時に座管が微動するようにしたベンチが提案されている（例えば、特許文献２参照。）。
【０００５】
このベンチは、フレームの内側面を空所とする断面コ型に形成して、この断面コ型の内部に弾性部材を介して座管の両端を取付け、座管を緩衝的に形成して座り心地を良くしたものである。
【先行技術文献】
【特許文献】
【０００６】
【特許文献１】実開昭６１−１４４８４１号公報
【特許文献２】実公平１−４４１０８号公報
【発明の概要】
【発明が解決しようとする課題】
【０００７】
しかしながら、特許文献１に記載の脚体には次のような問題点があった。すなわち、釘打ちやビス止めの作業を不要とする為にはパイプ状の継手の内部に遮蔽部を設けると共に、継手内に挿入するパイプ材の先端を遮蔽部に当接させた状態にして構造体を構成する必要があるため、設置場所により脚体間の離間寸法が相対的に広くする必要がある場合は、パイプ材端部と遮蔽部との間に隙間が生じるため、パイプ材は長手方向にがたつきが生じる恐れがあった。
【０００８】
また特許文献２に記載のベンチでは、座部を上下方向に微動させるため、座部の側端縁部とフレームのコ型内部の間に隙間を設ける必要があるため、設置場所によりフレーム間の離間寸法を調整する必要がある場合、フレーム間の間隔が狭くなると、前記隙間が狭くなり、座部の微動が抑制されるお恐れがあり、一方、フレーム間の間隔が広くなると、特許文献１と同様に座部が長手方向に対してがたつきが生じる恐れがあった。
【０００９】
本発明は、前記の如き問題点を解消し、脚部間の距離が異なる場合であっても、その都度特別な部材を用いることなく、同一の部材を用いてベンチを形成することができるベンチを提供せんとするものである。
【課題を解決するための手段】
【００１０】
上記目的を達成するために、本発明は次のような構成としている。
すなわち本発明に係るベンチは、所定の方向に間隔をおいて立設された２個の脚部間に座部が架設され、前記座部の下面には前記所定の方向に連続して蟻溝状の取付溝が設けられ、前記脚部に前記座部を固定する固定ボルトのボルト頭が前記取付溝にスライド自在に挿入されていることを特徴とするものである。
【発明の効果】
【００１１】
本発明に係るベンチによれば、所定の方向に間隔をおいて立設された２個の脚部間に座部が架設され、前記座部の下面には前記所定の方向に連続して蟻溝状の取付溝が設けられ、前記脚部に前記座部を固定する固定ボルトのボルト頭が前記取付溝にスライド自在に挿入されているので、既設のベンチを座部のみ取り替えて補修する際などの場合、脚部間の距離が異なることがあっても、前記固定ボルトを前記座部の取付溝内をスライドさせ、所望の位置に配置し、そこで前記脚部と前記座部とを固定することができるため、脚部間の距離が異なる場合であっても、その都度特別な部材を用いることなく、同一の部材を用いてベンチを形成することができる。
【図面の簡単な説明】
【００１２】
【図１】本発明に係るベンチの実施形態を示す斜視図である。
【図２】図１に示す座部を下側から見た要部拡大の分解斜視図である。
【図３】図１に示す座部の断面図である。
【図４】図１に示す座部を構成する座部本体の拡大断面図である。
【発明を実施するための形態】
【００１３】
次に、本発明を実施するための形態について図面を参照し、具体的に説明する。
１は座部、２は座部１の両端部に配置された脚部であり、本発明に係るベンチＰは、座部１及び脚部２とから主に構成されるものであり、左右の方向に間隔をおいて立設された２個の前記脚部２間に座部１が架設されたものである。
【００１４】
前記座部１は複数の長尺な座部本体１１を備え、この座部本体１１は長手方向に中空部１１２が形成されている金属製の芯材１１１の外面に合成樹脂が被覆されて形成されており、押出成型により形成されたものを適宜長さに切断して用いる。被覆される合成樹脂としては、ポリエチレン、ポリプロピレン等のポリオレフィンあるいは、これらを共重合させたものや、更に酢酸ビニルやアクリル酸、アクリル酸エステル等を共重合させたものや、ポリエステル、ＡＢＳ樹脂、ＡＡＳ樹脂、ポリカーボネート等や、これらを適宜組み合わせたものを用いてもよい。又、木質の風合いを出すために木粉を添加してもよい。
【００１５】
前記座部本体１１に用いる芯材１１１は、一般には金属や合成樹脂から形成されるが、剛性を考慮すると、中空状の金属製の管状体を用いることが好ましい。そして、本実施形態のように、その長手方向に３個並設されて中空部１１２が形成されている芯材１１１をアルミニウム合金で形成し、更に芯材１１１の外面に合成樹脂を被覆し被覆層１１３を形成したものとすれば、合成樹脂のみで形成されたものに比べて、日射による熱は合成樹脂の被覆層１１３から芯材１１１に伝たわるが、芯材１１１では熱が中空部１１２から拡散され放熱しやすくなされているため、座部１の温度上昇を抑制できる。
【００１６】
前記座部１は、断面が横長の長方形のパイプ状に形成された長尺な座部本体１１が複数本（本実施形態では、５本）、所定の間隔をおいて長手方向に平行に座部用金具１２の上面に並べられ、それぞれの前記座部本体１１が前記座部用金具１２に座部本体用固定ボルトＢ１とナットＮ１で固定されて形成されている。そして、前記座部本体１１の端部には、その開口を塞ぐように端部キャップＣが取り付けられている。
【００１７】
詳細には、前記座部本体１１は、断面視において横長の長方形の前記芯材１１１の四隅が角を落とされアール状になされ、前記中空部１１２が長手方向に３個並設されて形成されるとともに、その下面には長手方向に連続して蟻溝状の取付溝１３が設けられている。つまり、前記取付溝１３は、開口部１３１の幅よりその奥側に設けられている内室部１３２の幅のほうが広くなされており、前記座部用金具１２に前記座部本体１１を固定する座部本体用固定ボルトＢ１のボルト頭の幅が前記開口部１３１の幅より広く、かつ前記内室部１３２の幅より狭くなされているので、前記座部本体用固定ボルトＢ１が前記開口部１３１から抜け出すことがなく、かつ前記取付溝１３内をスライド自在になされている。
【００１８】
これにより、前記座部本体用固定ボルトＢ１を前記取付溝１３内をスライドさせ所望の位置に配置して、前記座部本体１１と座部用金具１２とを固定し、その座部固定用金具１２を前記脚部２に固定することにより、前記座部１を前記脚部２に固定することができるので、既設のベンチを座部のみ取り替えて補修する際などの場合、脚部間の距離が異なることがあっても、その都度特別な部材を用いることなく、同一の部材を用いてベンチを形成することができるようになされている。
【００１９】
前記座部用金具１２は、前記座部３の両端部と中央部とにそれぞれ１個ずつ配置されており、側面視において、上底が下底よりも長い台形が２個並んで連結された形状となされている。そして側面視において、その中央には上側にへこんだ金具凹部１２１が形成されている。また、前記座部用金具１２の上底部１２２には、前記座部本体１１の取付溝１３から突設される座部本体用固定ボルトＢ１が挿通される挿通孔１２３が左側端部に一直線状に３個、右側端部に一直線状に２個、合計５個が千鳥状に形成されている。また、前記座部用金具１２の下底部１２３には、前記脚部２と前記座部用金具１２とを固定する際、脚部用固定ボルトＢ２を挿通する貫通孔１２５が左右端部に一直線状にそれぞれ４個ずつ形成されている。
【００２０】
前記脚部２は、前記座部１の左右両側をそれぞれ支持するものであり、側面視が四角形の四辺を残して中央部をくり貫かれた形状で、正面視が縦長の長方形状となされ、側面視において、その上辺が前記座部用金具１２が載置され固定される載置部２１となされ、その下辺が設置面に載置される設置部２２となされ、前記載置部２１と前記設置部２２とを連結する２本の縦辺が縦板部２３となされている。また前記載置部２１の中央には、下側にへこんだ脚部凹部２１１が形成されている。
【００２１】
そして、前記脚部２の載置部２１の上面には、前記座部用金具１２の下底部１２４の下面が当接されて載置され、前記前記載置部２１に形成された透孔２１２と前記下底部１２４に形成された貫通孔１２５とに前記脚部用固定ボルトＢ２を挿通してナットＮ２を螺着し、前記座部１と脚部２とが固定されている。
【００２２】
その際、前記座部用金具１２に設けられている金具凹部１２１と前記脚部２の載置部２１に設けられている脚部凹部２１１との間に、補強部材３を配置し、前記金具凹部１２１と前記脚部凹部２１１とで前記補強部材３を挟持させ、左右の前記脚部２間に架け渡すことにより、ベンチＰの強度を向上させるようになされている。また、前記補強部材３は、円形の金属管により形成されている。
【００２３】
なお前記脚部２及び座部用金具１２は、本実施形態においてはアルミニウム合金により一体に成形されたものであるが、複数の部材を組み合わせて形成されたものを用いてもよい。
【符号の説明】
【００２４】
１      座部
１１    座部本体
１１１  芯材
１１２  中空部
１１３  被覆層
１２    座部用金具
１２１  金具凹部
１２２  上底部
１２３  挿通孔
１２４  下底部
１２５  貫通孔
１３    取付溝
１３１  開口部
１３２  内空部
２      脚部
２１    載置部
２１１  脚部凹部
２１２  透孔
２２    設置部
２３    縦板部
３      補強部材
Ｐ      ベンチ
Ｂ１    座部本体用固定ボルト
Ｂ２    脚部用固定ボルト
Ｎ１，Ｎ２  ナット
Ｃ      端部キャップ
【図１】
2016067450.tif 000003
【図２】
2016067450.tif 000004
【図３】
2016067450.tif 000005
【図４】
2016067450.tif 000006